(57)【要約】      （修正有）【課題】負荷に短絡不具合が発生しているというような負荷不具合条件において、この条件が長く持続しても、負荷、配電システム、及び／又は発電機が損傷しない主界磁回路を提供する。【解決手段】発電機の主界磁回路３５０は、主界磁電流を導通させるよう構成された主界磁巻線と、主界磁巻線の近位に配置された逆界磁巻線とを備える。主界磁回路は、主界磁電流の強度を低減するために主界磁電流の少なくとも一部分を逆界磁巻線に選択的に連結するよう構成された、スイッチ素子を更に備える。【選択図】図３
2019110743.tif 000002
【特許請求の範囲】
【請求項１】
発電機（３００、４００）の主界磁回路（３５０）であって、
主界磁電流を導通させるよう構成された主界磁巻線（１６０）と、
前記主界磁巻線の近位に配置された逆界磁巻線（３４５）と、
前記主界磁電流の強度を低減するために前記主界磁電流の少なくとも一部分を前記逆界磁巻線内に選択的に連結するよう構成されたスイッチ素子（３２０ｂ）と、
を備える、主界磁回路。
【請求項２】
前記スイッチ素子が、既定の負荷不具合条件の検出に応じて、前記主界磁電流の少なくとも一部分を前記逆界磁巻線内に連結するよう構成されている、請求項１に記載の主界磁回路。
【請求項３】
前記逆界磁巻線の第１インダクタンスが、前記主界磁巻線の第２インダクタンスと実質的に等しい、請求項１に記載の主界磁回路。
【請求項４】
前記発電機が、複数のスロット（５０５）を画定しているロータ（１０５）を備え、
前記複数のスロットの各スロットが、前記主界磁巻線の一部分（５１０）と、前記逆界磁巻線の一部分（５１５）とをそれぞれ含む、請求項１に記載の主界磁回路。
【請求項５】
前記主界磁電流の少なくとも一部分を前記逆界磁巻線内に連結することが、前記主界磁回路の第１脚部（３２５）と第２脚部（３３０）との間で前記逆界磁巻線を前記主界磁巻線と並列に構成することを含む、請求項１に記載の主界磁回路。
【請求項６】
前記逆界磁巻線を前記主界磁巻線と並列に構成することが、前記第１脚部と前記第２脚部との間の電圧差分は所定の値を下回ると判定することに応じて行われる、請求項５に記載の主界磁回路。
【請求項７】
前記逆界磁巻線が前記第１脚部と前記第２脚部との間に配置された枝路（３３５）に含まれ、前記枝路の抵抗は、前記逆界磁巻線が前記主界磁巻線と並列に構成されている時の前記主界磁回路の望ましい時定数を提供するよう選択される、請求項５に記載の主界磁回路。
【請求項８】
前記枝路の少なくとも一部分は、前記枝路から抵抗熱を逃がすために、前記発電機のロータシャフトに物理的に連結されている、請求項７に記載の主界磁回路。
【請求項９】
発電機（３００、４００）と共に使用される方法（６００）であって、
前記発電機の主界磁巻線（１６０）を通して主界磁電流を導通させること（６０５）と、
既定の条件に応じて、前記主界磁電流の少なくとも一部分を、前記主界磁巻線の近位に配置されている逆界磁巻線（３４５）内に連結すること（６１５）とを含み、
前記主界磁電流の少なくとも一部分（５１０）を前記逆界磁巻線内に連結することは、前記主界磁電流の強度を低減するよう作用する、方法。
【請求項１０】
前記既定の条件が既定の負荷不具合条件を含む、請求項９に記載の方法。
【請求項１１】
前記既定の条件が、前記発電機の既定の界磁弱化運転を有効化することを含む、請求項９に記載の方法。
【請求項１２】
前記逆界磁巻線の第１インダクタンスが、前記主界磁巻線の第２インダクタンスと実質的に等しい、請求項９に記載の方法。
【請求項１３】
前記主界磁電流の少なくとも一部分を前記逆界磁巻線内に連結することが、スイッチ素子（３２０ｂ）を、前記発電機の主界磁回路（３５０）の第１脚部（３２５）と第２脚部（３３０）との間で前記逆界磁巻線を前記主界磁巻線と並列に構成するよう、動作させることを含む、請求項９に記載の方法。
【発明の詳細な説明】
【背景技術】
【０００１】
本開示の例は、概して発電機に関し、より具体的には、ある種の条件のもとでの発電機内の主界磁電流の望ましくない影響に対処するための技法に関する。現在の電力網における電力の大部分を生成するために、発電機が使用されている。同期発電機又は永久磁石発電機でありうるこれらの発電機は、例えば、内燃機関、風、原子、及び液圧源からの機械的エネルギーを、例えば電気的エネルギーに変換するために、使用される。現代の発電機は各々、数百メガワットの電力を発生させうる。
【０００２】
現代の巻線−ロータ発電機はロータとステータとを含み、ロータとステータの各々は、一又は複数の電気巻線を有する。電流がロータ巻線を通過することによって、回転ロータに磁界が生成され、このロータ巻線は、ステータ巻線（複数可）内に電流を誘起し、交流（ＡＣ）電気を作り出す。発電機の出力電圧は、ロータ巻線における電流（したがって、ステータ巻線（複数可）に電圧を誘起する磁界の強度）を制御することによって、制御されうる。場合によっては、ロータ巻線内の電流は、例えばスリップリングを使用する、発電機コントローラとの直接的な電気接続によって、供給されうる。他の場合には、電流は、電磁誘導を通じて、ロータに巻き付けられた電機子を使用して、発電機コントローラにより制御されうる。一又は複数の負荷が、ステータの出力に接続され、かつ、ステータの出力によって電力供給されうる。一部の例では、ステータの出力は、直流（ＤＣ）電気を発生させるよう整流されうる。
【０００３】
負荷に短絡不具合が発生しているというような負荷不具合条件において、発電機によって負荷に供給される電気エネルギーは、不具合の結果の重要性を低減するために制限されるべきである。しかし、発電機コントローラが励磁機電流をオフにできても、主界磁巻線内に蓄えられた磁気エネルギー、及び比較的大きな時定数のせいで、ロータ磁界は即座にゼロまで降下するわけではない。この条件により、ロータの構成要素を通る、界磁電流の「フリーホイール（ｆｒｅｅ−ｗｈｅｅｌｉｎｇ）」がもたらされ、これが次いで、主電機子による電流の継続生成を引き起こす。不運にも、この電流は短絡部に提供されており、問題を悪化させる。これにより、負荷不具合を解消することは困難になり（依然としてエネルギー供給されているから）、ロータとステータの両方が過熱する可能性がある。この条件が長く持続しすぎると、負荷、配電システム、及び／又は発電機が恒久的に損傷するリスクがある。上記の問題及びその他の問題に対処するために、本開示を提出する。
【発明の概要】
【０００４】
一又は複数の例により、発電機の主界磁回路は、主界磁電流を導通させるよう構成された主界磁巻線と、主界磁巻線の近位に配置された逆界磁巻線（ｃｏｕｎｔｅｒ−ｆｉｅｌｄ  ｗｉｎｄｉｎｇ）とを備える。主界磁回路は、主界磁電流の強度を低減するために主界磁電流の少なくとも一部分を逆界磁巻線内に選択的に連結するよう構成された、スイッチ素子を更に備える。
【０００５】
一又は複数の例により、システムは、発電機であって、主界磁電流を導通させるよう構成された第１ロータ巻線と、主界磁巻線の近位に配置された第２ロータ巻線とを備える発電機を、備える。システムは、第２ロータ巻線と直列に配置された第１スイッチ素子と、主界磁電流の強度を低減するために主界磁電流の少なくとも一部分を第２ロータ巻線内に選択的に連結するように第１スイッチ素子を動作させるよう構成された、コントローラとを更に備える。
【０００６】
一又は複数の例により、発電機と共に使用される方法は、発電機の主界磁巻線を通して主界磁電流を導通させることと、既定の条件に応じて、主界磁電流の少なくとも一部分を、主界磁巻線の近位に配置されている逆界磁巻線内に連結することとを、含む。主界磁電流の少なくとも一部分を逆界磁巻線内に選択的に連結することは、主界磁電流の強度を低減するよう作用する。
【０００７】
前述の特徴、機能、及び利点は、様々な例において個別に実現可能であるか、又は、以下の説明及び図を参照することで更なる詳細事項が理解可能な、更に別の例に組み込まれうる。
【０００８】
本開示の上述の特徴を詳しく理解しうるように、上記で簡単に要約されている本開示のより詳細な説明が、例を参照することによって得られる。一部の例を付随する図面に示している。しかし、本開示は他の等しく有効な例も許容しうることから、付随する図面は、この開示の典型的な例のみを示しており、したがって、本発明の範囲を限定すると見なすべきではないことに、留意されたい。
【図面の簡単な説明】
【０００９】
【図１】３ステージ発電機を示すブロック図である。
【図２】負荷不具合条件における発電機を示す、概略回路図である。
【図３】本書で開示されている例による、逆界磁巻線を有する発電機の例示的な通常運転を示す概略回路図である。
【図４】本書で開示されている例による、逆界磁巻線を有する発電機の例示的な負荷不具合運転を示す概略回路図である。
【図５Ａ】本書で開示されている例による、例示的な通常運転中の、複数のスロットを有するロータを示す図である。
【図５Ｂ】本書で開示されている例による、例示的な負荷不具合運転中の、複数のスロットを有するロータを示す図である。
【図６】本書で開示されている例による、発電機と共に使用される方法である。
【発明を実施するための形態】
【００１０】
理解を容易にするために、可能な場合には、複数の図に共通する同一の要素を指し示すのに、同一の参照番号を使用した。一例において開示されている要素は、特に明示しなくとも、他の例でも有利に利用されうると想定される。本書で言及されている図は、特に記載のない限り、縮尺どおりに描かれていると理解すべきではない。また、図面は、わかりやすい提示及び説明のために、多くの場合、単純化されており、詳細事項又は構成要素が省略されている。図面と記述は、以下で述べる原理についての解説の役割を果たし、そこでは、同様の記号表示が同様の要素を表わしている。
【００１１】
本開示の例は、概して発電機に関し、より具体的には、主界磁巻線の近位に配置された逆界磁巻線を使用して、発電機内の界磁電流を急速に散逸させるための技法に関する。主界磁巻線は主界磁電流を導通させるよう構成されており、逆界磁巻線は、主界磁電流が、主界磁巻線とは反対の方向に、逆界磁巻線を通って流れるように配置される。場合によっては、主界磁巻線及び逆界磁巻線によって生成される正味磁界が実質的にゼロになることにより、負荷に供給される電流が実質的に消去される。
【００１２】
一部の例では、スイッチ素子は、主界磁電流の強度を低減するために主界磁電流の少なくとも一部分を逆界磁巻線内に選択的に連結するよう、構成される。一部の例は、コントローラ、一又は複数の追加スイッチ素子、一又は複数の論理ゲート、及び／又は、一又は複数のエネルギー散逸素子を、更に含みうる。エネルギー散逸素子の非限定的な例の一部は、レジスタ、コンデンサ、バッテリなどを含む。
【００１３】
一部の例では、主界磁電流の急速散逸は、既定の負荷不具合条件又は既定の界磁弱化運転の有効化といった、既定の条件に応じて行われる。主界磁電流の一部分を逆界磁巻線内に連結することは、主界磁巻線に関連する時定数を著しく低減するよう作用する。これにより、負荷不具合条件が起こった場合、負荷不具合のより迅速な解消が可能になると共に、発電機の構成要素が保護される。
【００１４】
一部の例では、主界磁におけるエネルギーは、外部の制御回路からの信号がなくとも、自律的に散逸しうる。かかる特徴により、設計が大いに単純化され、配線の複雑性が低減される。これにより、システムの信頼性は向上する傾向がある。一部の例では、システムは全て、ロータに及び／又はロータ内に実装されうる。一部の例では、システムは、２つの電圧条件を使用して稼働しうる。（１）通常運転電圧（又は通常電圧範囲）と、（２）通常運転電圧又は通常電圧範囲から外れた電圧、である。ゆえに、システムが通常運転電圧又は通常電圧範囲から外れた電圧で運転されている場合、不具合補正を有効化するために主界磁エネルギーが取り出されうる。
【００１５】
本開示の様々な要素を作り上げるものとして以下に記載している材料及び構成要素は、限定ではなく例示を意図している。本開示の範囲には、本書に記載の材料及び構成要素と同じ又は類似した機能を実施しうる多数の好適な材料及び構成要素が包含されることが、意図されている。本書に記載のもの以外のかかる材料及び構成要素は、本開示の開発時点の後に開発される材料及び構成要素を含みうるが、それらに限定されるわけではない。
【００１６】
図１は、３ステージ発電機１００を示すブロック図である。図示しているように、発電機１００は同期発電機を含むが、その他の種類の発電機、及び／又はその他のステージ数も想定される。発電機１００は、回転セクション（すなわち「ロータ」）１０５と、静止セクション（すなわち「ステータ」）１１０とを備える。永久磁石（ＰＭＧ）ステージ１３０において、永久磁石１２０がロータ１０５に装着され、一又は複数の主巻線１３５がステータ１１０に装着される。ロータ１０５は、機械的動力源（その非限定的な例の一部は、内燃エンジンや、風、蒸気、又は水を使用して電力供給されるタービンなどを含む）に連結される。
【００１７】
発電機１００の励磁機ステージにおいて、励磁機界磁ステータ巻線１４０が、ステータ１１０に装着され、かつ、ＰＭＧステージ１３０で生成された励磁機界磁電流を調節するよう構成されている発電機制御ユニット１４５に通信可能に連結される。励磁機ステージでは、一又は複数の励磁機界磁電機子巻線１５０が、ロータ１０５に配置される。励磁機界磁電機子巻線１５０からの出力電流は、ＤＣ電流を発生させるために、三相整流器１５５によって整流される。整流されたＤＣ電流は次いで、発電機１００のメインステージの主界磁巻線１６０に伝えられる。
【００１８】
メインステージは、ロータ１０５に配置された主界磁巻線１６０と、ステータ１１０に配置された一又は複数の主電機子巻線１６５（三相発電に対応する３つの巻線として図示されている）とを備える。主電機子巻線１６５からの三相出力１７０は、配電バスに、ヒューズパネルに、又は一又は複数の負荷に直接、接続されうる。
【００１９】
図示していないが、励磁機ステージは、一又は複数の主巻線１３５に連結された、励磁機電力供給装置と励磁機ドライバとを、更に備えうる。発電機制御ユニット１４５は、発電機１００によって生成される出力電圧及び出力電流を制御するために、励磁機ドライバへの電圧及び／又は電流を変動させうる。
【００２０】
図２は、負荷不具合条件における発電機２００を示す、概略回路図である。上述したように、発電機２００に発生する問題の１つは、三相出力１７０に連結されている負荷２０５に負荷不具合が起こった場合である。負荷不具合の非限定的な例の一部は、負荷２０５における部分的又は完全な短絡の発生を含む。負荷不具合が起こった場合、関連する発電機制御ユニット（例えば、図１の発電機制御ユニット１４５）は、この負荷不具合を感知し、それに応じて、励磁機界磁電機子巻線１５０によって提供されている電流を（例えば、一又は複数の主巻線１３５への出力を無効化することによって）遮断する。
【００２１】
しかし、励磁機界磁電機子巻線１５０によって提供される電流をゼロまで減少させても、そのことは主界磁電流ｉｆを即座に止めるよう作用するわけではない。主界磁巻線１６０内にエネルギーが確立されており、かつ、主界磁回路２１０に関連する時定数が比較的大きいからである。整流器１５５のダイオードによる抵抗Ｒｄは比較的小さく、その順電圧降下を通じて比較的少ない電力しか散逸しないので、主界磁回路２１０によって形成される単純なＲＬ回路が比較的大きな時定数（Ｌｆ／Ｒｄ）を有することにより、主界磁電流ｉｆは比較的長時間にわたり大振幅を有することになる。これにより、発電機２００の遮断が遅延する。
【００２２】
その結果として、負荷不具合の後に、主界磁電流ｉｆが、主界磁回路２１０を巡って継続的に流れる、すなわち「フリーホイール」することになる。主界磁電流ｉｆは緩やかに減少するが、その間、発電機２００は、主界磁が持続している限り、既知の負荷不具合がある負荷２０５に電流（位相電流ｉａ、ｉｂ、ｉｃとして図示している）を供給し続ける。主電機子巻線１６５が負荷２０５に比較的大きな電流を提供し続けるので、負荷不具合の解消が難しくなる。加えて、主電機子巻線１６５における大電流は、発電機２００の様々な構成要素（巻線及び／又は配線ハーネス（図示せず）など）の過熱をもたらすことがあり、負荷２０５を更に損傷しうる。ゆえに、主界磁電流ｉｆがフリーホイールすることにより、発電機２００の運転再開が遅延するか又はできなくなることがあり、かつ、発電機２００及び／又は関連配線の損傷が引き起こされる可能性もある。
【００２３】
図３は、本書で開示されている例による、逆界磁巻３４５線を有する発電機３００の例示的な通常運転を示す概略回路図である。場合によっては、発電機３００の「通常」運転とは、負荷不具合が検出されない条件に対応する。場合によっては、発電機３００の「通常」運転とは、界磁弱化運転が有効化されていない条件に対応する。発電機３００の励磁機ステージ及びメインステージの構成要素が図示されている一方、ＰＭＧステージの構成要素は図示されていない。
【００２４】
発電機３００において、主界磁回路３５０は、コントローラ３０５、論理ゲート３１０、一又は複数のスイッチドライバ３１５ａ、３１５ｂ（スイッチドライバ３１５と総称される）、及び、一又は複数の制御可能なスイッチ素子３２０ａ、３２０ｂ（スイッチ素子３２０と総称される）を備える。コントローラ３０５は、任意の好適な実行形態の一又は複数のコンピュータプロセッサを含みうる。コントローラ３０５の非限定的な例の一部は、マイクロプロセッサ、デジタル信号プロセッサ（ＤＳＰ）、特定用途向け集積チップ（ＡＳＩＣ）、及びフィールドプログラマブルゲートアレイ（ＦＰＧＡ）を含む。別の例示的な実行形態では、コントローラ３０５は、出力電圧と通常電圧とを比較するよう構成された単一の比較器と同等に単純なものでありうる。かかる例示的な実行形態では、発電機３００の不具合なし（ｎｏ−ｆａｕｌｔ）運転は通常電圧に対応してよく、出力電圧が通常電圧とは異なることにより、負荷不具合が示される。更に別の例示的な実行形態では、コントローラ３０５は、出力電圧の降下が既定の電圧範囲内のものであるか否かを判定してよく、出力電圧が既定の電圧範囲を超えて降下することにより、負荷不具合が示される。
【００２５】
論理ゲート３１０は、コントローラ３０５の出力に通信可能に連結される。図示しているように、論理ゲート３１０は、スイッチ素子３２０ａ、３２０ｂをそれぞれ駆動するために使用される２つのスイッチドライバ３１５ａ、３１５ｂに、相補出力を提供する。例えば、発電機３００の不具合なし運転において、コントローラ３０５は、論理ゲート３１０に論理「ハイ（ｈｉｇｈ）」信号を出力する。次いで、論理ゲート３１０は、スイッチ素子３２０ａを導通状態に維持するために論理「ハイ」をスイッチドライバ３１５ａに送信し、かつ、スイッチ素子３２０ｂを非導通状態に維持するために論理「ロー（ｌｏｗ）」をスイッチドライバ３１５ｂに送信する。その逆であることもある。論理ゲート３１０は補完バッファ素子として図示されているが、追加的又は代替的な論理が主界磁回路３５０内に実装されることもある。一代替例では、論理ゲート３１０及び／又はスイッチドライバ３１５は、コントローラ３０５内に組み込まれうる。
【００２６】
スイッチドライバ３１５ａ、３１５ｂは、任意の好適な実行形態を有しうる。一部の例では、スイッチドライバ３１５ａ、３１５ｂは、スイッチ素子３２０ａ、３２０ｂのゲート端子を駆動するようそれぞれ構成された、ゲートドライバを含む。有利には、スイッチドライバ３１５ａ、３１５ｂは、主界磁回路３５０によってサポートされる大電流レベルの切り替えスピードの向上及び精度を提供しうる。一代替例では、スイッチドライバ３１５ａ、３１５ｂは省略されてよく、スイッチ素子３２０ａ、３２０ｂは、論理ゲート３１０又はコントローラ３０５により直接制御されうる。
【００２７】
スイッチ素子３２０ａ、３２０ｂは、電流を選択的に導通させるのに好適な任意の実行形態を有してよく、この電流は、場合によっては、主界磁電流ｉｆ（又はその一部分）を含みうる。スイッチ素子３２０ａ、３２０ｂの非限定的な例の一部は、スイッチングダイオードや、絶縁ゲートバイポーラトランジスタ（ＩＧＢＴ）、バイポーラ接合トランジスタ（ＢＪＴ）、及び金属酸化物半導体電界効果トランジスタ（ＭＯＳＦＥＴ）などのトランジスタ等を含む。
【００２８】
主界磁巻線１６０は、主界磁回路３５０の第１脚部３２５と第２脚部３３０との間に配置される。主界磁回路３５０は、第１脚部３２５と第２脚部３３０との間に、主界磁巻線１６０と並列に配置されている枝路３３５を更に備える。図示しているように、枝路３３５は、抵抗３４０と、逆界磁巻線３４５と、スイッチ素子３２０ｂとの直列接続を備える。
【００２９】
逆界磁巻線３４５は、主界磁巻線１６０の近位に配置される。本書において、「近位に配置される（ａｒｒａｎｇｅｄ  ｐｒｏｘｉｍａｔｅ）」とは、逆界磁巻線３４５によって生成される磁界が、主界磁巻線１６０によって生成される磁界（すなわち主界磁）の有意の低減をもたらすことを示す。主界磁が低減された結果、それに対応して、主電機子巻線１６５によって負荷２０５に供給される電流（位相電流ｉａ、ｉｂ、ｉｃとして図示している）が減少する。ゆえに、逆界磁巻線３４５を通して電流を選択的に導通させることによって、主界磁巻線１６０によって生成される磁界（及び、負荷２０５に供給される電流）が選択的に低減されうる。一部の例では、スイッチ素子３２０ａ及び／又は３２０ｂは、逆界磁巻線３４５内に主界磁電流ｉｆの少なくとも一部分を選択的に連結して、主界磁電流ｉｆの強度を低減するために、使用される。
【００３０】
主界磁巻線１６０及び逆界磁巻線３４５は各々、単一巻線として図示されているが、代替的な実行形態は、主界磁巻線１６０及び／又は逆界磁巻線３４５として複数巻線（分割巻線など）を含みうる。
【００３１】
一部の例では、主界磁回路３５０は、主界磁巻線１６０及び逆界磁巻線３４５によって生成される正味磁界を、所定の量だけ低減させるよう構成される。一部の例では、主界磁巻線１６０と逆界磁巻線３４５との構成は、正味磁界が実質的にゼロになることによって、負荷２０５に供給される電流が実質的に消去されるようなものになる。一部の例では、逆界磁巻線３４５の第１インダクタンスＬ’ｆは、主界磁巻線１６０の第２インダクタンスＬｆと実質的に等しい。
【００３２】
一部の例では、負荷２０５に供給される電流を実質的に消去するには、主界磁巻線１６０と逆界磁巻線３４５との複合動作が有効である。したがって、主界磁電流ｉｆからエネルギーを散逸させるために、主界磁回路３５０に別個の素子が含まれる必要はない。しかし、主界磁巻線１６０と逆界磁巻線３４５のそれぞれの導電特性により、主界磁巻線１６０が抵抗Ｒｆを示し、逆界磁巻線３４５も抵抗を示し、各抵抗は、電流が各巻線を通って流れる時にエネルギーを散逸させるよう作用する。場合によっては、抵抗３４０が逆界磁巻線３４５の抵抗であることもある。しかし、場合によっては、枝路３３５は、一又は複数の散逸素子であって、各々が、電流が枝路３３５を通って流れる時に散逸するはずであったエネルギーを吸収するよう構成されている、散逸素子を更に備えうる。そのような場合、抵抗３４０は、逆界磁巻線３４５と直列に配置されている、別個に設けられたレジスタを含みうる。散逸素子のその他の非限定的な例は、コンデンサ及びバッテリを含む。
【００３３】
一部の例では、枝路３３５の抵抗３４０は、逆界磁巻線が主界磁巻線１６０と並列に構成されている時の主界磁回路３５０の望ましい時定数を提供するよう、選択される。例えば、逆界磁巻線３４５及び／又は別個に設けられたレジスタは、望ましい時定数に対応する抵抗３４０を提供するよう、寸法決定されうる。場合によっては、望ましい時定数は、主界磁巻線１６０の抵抗Ｒｆにも基づく。例えば、図４では、主界磁電流ｉｆは、枝路３３５と主界磁巻線１６０との直列接続を通るように導かれる。等価ＲＬ回路の時定数は、次の式で表わされうる。
2019110743.tif 000003
【００３４】
一部の例では、枝路３３５の少なくとも一部分は、枝路３３５から抵抗熱を逃がすために、発電機３００のロータシャフトに物理的に連結されている。ロータシャフトは、典型的には、枝路３３５の構成要素と比較して相対的に大きな質量を有しており、構成要素から熱を伝達して逃がすのに好適でありうる。一例では、逆界磁巻線３４５及び／又は別個に設けられたレジスタは、ロータシャフトに装着される。
【００３５】
通常条件における発電機３００の運転中、励磁機界磁電流ｉｅが、一又は複数の主巻線１３５に提供され、主巻線１３５は、一又は複数の励磁機界磁電機子巻線１５０内に電流（位相電流ｉｅａ、ｉｅｂ、ｉｅｃとして図示している）を誘起する。位相電流ｉｅａ、ｉｅｂ、ｉｅｃは整流器１５５へと流れ、各位相電流ｉｅａ、ｉｅｂ、ｉｅｃは、整流された主界磁電流ｉｆの構成に寄与する。
【００３６】
コントローラ３０５に提供されるシステム電圧Ｖは、次の式で定義されうる。
Ｖ＝Ｖ１−Ｖ２    （２）
図示しているように、システム電圧Ｖは、整流器１５５の両端間の電圧である。一部の例では、システム電圧Ｖは、コントローラ３０５、論理ゲート３１０、スイッチドライバ３１５、及び／又はスイッチ素子３２０の電源として、使用されうる。他の例では、これらの構成要素の一部又は全部のための電力は、外部電源（複数可）を使用して提供されうる。
【００３７】
発電機３００の通常運転中、システム電圧Ｖは正である（すなわちＶ＞０）。より具体的には、Ｖ１-Ｖ２＞０であり、かつＶ１-Ｖ３＞０である。このような条件のもとでは、スイッチ素子３２０ａは導通状態となり、スイッチ素子３２０ｂは非導通状態となる。ゆえに、主界磁電流ｉｆが主界磁巻線１６０に提供され、主界磁巻線１６０が、負荷２０５に提供される位相電流ｉａ、ｉｂ、ｉｃを誘起する。スイッチ素子３２０ｂが非導通状態であれば、枝路３３５の構成要素は、実質的に、主界磁回路３５０から電気絶縁される。
【００３８】
対照的に、図４は、本書で開示されている例による、逆界磁巻３４５線を有する発電機４００の例示的な負荷不具合運転を示している。あるいは、図４は、別の既定条件（例えば、発電機４００の既定の界磁弱化運転におけるもの）に応じた、発電機４００の運転に対応しうる。
【００３９】
負荷２０５の負荷不具合の検出に応じて、発電機４００の発電機制御ユニット（図示せず）は、一又は複数の主巻線１３５への励磁機界磁電流を遮断する。しかし、主界磁巻線１６０内に主界磁エネルギーが既に確立されているので、主界磁電流ｉｆは、主界磁回路３５０を巡って流れる、すなわち「フリーホイール」する傾向がある。整流器１５５からの電流の寄与がなければ、主界磁電流ｉｆは緩やかに減少するが、主界磁が持続している限り、発電機４００は（既知の負荷不具合があっても）負荷２０５に電流を供給することになる。
【００４０】
主界磁電流ｉｆの減少により、主界磁巻線１６０の両端間の電圧に極性逆転が起こる（すなわちＶ２-Ｖ３＞０）。加えて、システム電圧Ｖにも極性逆転が起こる（すなわちＶ１-Ｖ２＜０）。このような条件のもとでは、スイッチ素子３２０ａは非導通状態であり、スイッチ素子３２０ｂは導通状態である。
【００４１】
一例では、コントローラ３０５が電圧差分（すなわちシステム電圧Ｖ）は所定の値を下回ると判定することに応じて、逆界磁巻線３４５は主界磁巻線１６０と並列に構成される。ゆえに、主界磁電流ｉｆは、整流器１５５及びスイッチ素子３２０ａの代わりに枝路３３５を通るように導かれる。逆界磁巻線３４５と主界磁巻線１６０とのこの相対構成により、逆界磁巻線３４５を通る主界磁電流ｉｆの流れが磁界を発生させ、この磁界は、主界磁巻線によって生成される主界磁を低減させる。
【００４２】
図示しているように、主界磁巻線１６０と逆界磁巻線３４５には、同じ強度の電流が流れるが、その方向は反対である。その結果として、正味磁界は実質的にゼロになり、主電機子巻線１６５内に起電力は生成されない。これにより、負荷２０５に供給される電流が実質的にゼロまで減少する（すなわち、位相電流ｉ’ａ＝ｉ’ｂ＝ｉ’ｃ＝０）ことになる。これは、場合によっては、実質的に一瞬で実現される。いずれにせよ、負荷２０５に供給される電流の減少は、大きな時定数（すなわち、図２の発電機２００におけるＬｆ／Ｒｄ）を有する主界磁回路の実行形態に関連する緩やかな減少よりも、ずっと迅速に実現される。有利には、負荷不具合がより迅速に解消され、かつ、発電機４００及び／又は負荷２０５の構成要素の過熱及び／又は損傷が回避されうる。
【００４３】
枝路３３５を有効化または無効化して、主界磁電流ｉｆの全量を逆界磁巻線３４５を通るように導通させることに関して説明したが、主界磁回路３５０の代替例は、（例えば界磁弱化運転中に）正味磁界の望ましい減少を実現するよう、逆界磁巻線を通って流れる電流の量を更に制御しうる。一例では、主界磁回路３５０は、主界磁電流ｉｆの一部分だけを逆界磁巻線３４５を通るように導きなおすよう、構成されうる。別の例では、主界磁回路３５０は、望ましい量の電流を逆界磁巻線３４５を通るように導通させるために、主界磁電流ｉｆとは別個の電流源を備えうる。
【００４４】
図５Ａは、本書で開示されている例による、例示的な通常運転中の、複数のスロットを有するロータを示す図５００である。より具体的には、図５００は、ロータ１０５の４極実行形態の断面図に対応している。図５００に示している実行形態は、図３、図４に示している発電機３００、４００といった他の例と併せて使用されうる。
【００４５】
ロータ１０５は、ロータ１０５の外表面５２５から内側へと延在している、複数のスロット５０５−１、５０５−２、５０５−３、５０５−４（スロット５０５と総称される）を画定している。各スロット５０５−１、５０５−２、５０５−３、５０５−４は、主界磁巻線１６０の各部分５１０−１、５１０−２、５１０−３、５１０−４（部分５１０と総称される）と、逆界磁巻線３４５の各部分５１５−１、５１５−２、５１５−３、５１５−４（部分５１５と総称される）とをそれぞれ含む。図示しているように、部分５１０、５１５は、部分５１０が、部分５１５よりも、ロータ１０５の外表面５２５の近くに配置されている、スタック構成になっている。主界磁巻線１６０と逆界磁巻線３４５は、互いから、かつロータ１０５から電気絶縁されている。
【００４６】
主界磁巻線１６０及び逆界磁巻線３４５によって生成される正味磁界の好適な減少のための、他の構成も可能である。一例では、各スロット５０５は、隣り合って配置されている（例えば、ロータ１０５の外表面５２５からの距離が実質的に同じである）、対応する部分５１０、５１５を含みうる。他の例では、部分５１０、５１５は、同一のスロット５０５内に配置される必要はないが、部分５１５によって生成される磁界が部分５１０によって生成される磁界を適切に低減するように、配置される。
【００４７】
発電機の通常運転中（例えば、負荷不具合が検出されず、界磁弱化運転が有効化されていない時）に、主界磁電流は、部分５１０−１、５１０−３を通って第１方向（図ではページから出る方向）に流れ、部分５１０−２、５１０−４を通って第２方向（図ではページに入る方向）に流れる。電流は、実質的には、逆界磁巻線３４５を通って流れない。
【００４８】
部分５１０−１、５１０−２、５１０−３、５１０−４の各々を通って流れる電流は、それぞれ、磁界５２０−１、５２０−２、５２０−３、５２０−４（磁界５２０と総称される）を誘起する。視認できるように、磁界５２０−１、５２０−３は反時計回り方向の磁力線を有し、磁界５２０−２、５２０−４は時計回り方向の磁力線を有する。接続されている負荷に電流を供給するために、磁界５２０は、主電機子巻線（例えば、図３、図４の主電機子巻線１６５）と連結する。
【００４９】
対照的に、図５Ｂは、本書で開示されている例による、例示的な負荷不具合運転中の、複数のスロットを有するロータを示す図５５０である。図５５０は、代替的に、既定の条件（発電機の既定の界磁弱化運転など）に、対応しうる。図５５０において、電流は、逆界磁巻線３４５の部分５１５−１、５１５−２、５１５−３、５１５−４を通って流れる。各スロット５０５において、電流は、対応する部分５１５を通って、対応する部分５１０における主界磁電流の方向とは反対の方向に流れる。このやり方では、部分５１５によって生成される磁界は、部分５１０によって生成される磁界に反作用する（すなわち、かかる磁界を低減する）。
【００５０】
図示しているように、正味磁界は実質的にゼロになり、これは、主界磁電流の全量が主界磁巻線１６０と逆界磁巻線３４５とを通るように導かれた場合に対応しうる。この場合、主界磁巻線１６０のインダクタンスと逆界磁巻線３４５のインダクタンスは実質的に等しくなる。他の例では、部分５１５によって生成される磁界は、部分５１０によって生成される磁界を全て低減する必要はない。
【００５１】
図６は、本書で開示されている例による、発電機と共に使用される方法６００である。方法６００は、他の例（図３、図４に示している主界磁回路３５０など）と併せて使用されうる。
【００５２】
主界磁回路が発電機の主界磁巻線を通して主界磁電流を導通させるブロック６０５において、方法６００は始まる。ブロック６１５において、かつ既定の条件に応じて、主界磁回路は、主界磁電流の少なくとも一部分を、主界磁巻線の近位に配置されている逆界磁巻線内に連結する。一例では、既定の条件は既定の負荷不具合条件を含む。別の例では、既定の条件は、発電機の既定の界磁弱化運転を有効化することを含む。
【００５３】
主界磁電流の少なくとも一部分を逆界磁巻線内に連結することは、主界磁電流の強度を低減するよう作用する。一例では、主界磁電流の少なくとも一部分を逆界磁巻線内に連結することは、スイッチ素子を、発電機の主界磁回路の第１脚部と第２脚部との間で逆界磁巻線を主界磁巻線と並列に構成するよう動作させることを、含む。一例では、逆界磁巻線の第１インダクタンスは、主界磁巻線の第２インダクタンスと実質的に等しく、主界磁電流の全量が逆界磁巻線内に連結される。方法６００は、ブロック６１５の完了後に終了する。
【００５４】
更に、本開示は下記の条項による例を含む。
【００５５】
条項１．発電機の主界磁回路であって、主界磁電流を導通させるよう構成された主界磁巻線と、主界磁巻線の近位に配置された逆界磁巻線と、主界磁電流の強度を低減するために主界磁電流の少なくとも一部分を逆界磁巻線内に選択的に連結するよう構成された、スイッチ素子とを備える、主界磁回路。
【００５６】
条項２．スイッチ素子が、既定の負荷不具合条件の検出に応じて、主界磁電流の少なくとも一部分を逆界磁巻線内に連結するよう構成されている、条項１に記載の主界磁回路。
【００５７】
条項３．逆界磁巻線の第１インダクタンスが、主界磁巻線の第２インダクタンスと実質的に等しい、条項１に記載の主界磁回路。
【００５８】
条項４．発電機が、複数のスロットを画定しているロータを備え、複数のスロットの各スロットが、主界磁巻線の一部分と逆界磁巻線の一部分とをそれぞれ含む、条項１に記載の主界磁回路。
【００５９】
条項５．主界磁電流の少なくとも一部分を逆界磁巻線内に連結することが、主界磁回路の第１脚部と第２脚部との間で逆界磁巻線を主界磁巻線と並列に構成することを含む、条項１に記載の主界磁回路。
【００６０】
条項６．逆界磁巻線を主界磁巻線と並列に構成することが、第１脚部と第２脚部との間の電圧差分は所定の値を下回ると判定することに応じて行われる、条項５に記載の主界磁回路。
【００６１】
条項７．逆界磁巻線が第１脚部と第２脚部との間に配置された枝路に含まれ、枝路の抵抗は、逆界磁巻線が主界磁巻線と並列に構成されている時の主界磁回路の望ましい時定数を提供するよう選択される、条項５に記載の主界磁回路。
【００６２】
条項８．枝路の少なくとも一部分は、枝路から抵抗熱を逃がすために、発電機のロータシャフトに物理的に連結されている、条項７に記載の主界磁回路。
【００６３】
条項９．発電機であって、主界磁電流を導通させるよう構成された第１ロータ巻線と、主界磁巻線の近位に配置された第２ロータ巻線と、第２ロータ巻線と直列に配置された第１スイッチ素子と、主界磁電流の強度を低減するために主界磁電流の少なくとも一部分を第２ロータ巻線内に選択的に連結するように、第１スイッチ素子を動作させるよう構成された、コントローラとを備える、発電機を備える、システム。
【００６４】
条項１０．コントローラが、既定の負荷不具合条件の検出に応じて、第１スイッチ素子を導通状態で動作させるよう構成されている、条項９に記載のシステム。
【００６５】
条項１１．第２スイッチ素子を更に備え、コントローラが、励磁機電機子電流を、主界磁巻線内に付加されている状態から選択的に連結解除するように、第２スイッチ素子を動作させるよう更に構成されている、条項１０に記載のシステム。
【００６６】
条項１２．第１ロータ巻線の第１インダクタンスが、第２ロータ巻線の第２インダクタンスと実質的に等しい、条項９に記載のシステム。
【００６７】
条項１３．発電機が、複数のスロットを画定しているロータを更に備え、複数のスロットの各スロットが、第１ロータ巻線の一部分と第２ロータ巻線の一部分とをそれぞれ含む、条項９に記載のシステム。
【００６８】
条項１４．主界磁電流の少なくとも一部分を第２ロータ巻線内に連結することが、発電機の主界磁回路の第１脚部と第２脚部との間で第２ロータ巻線を第１巻線と並列に構成することを含む、条項９に記載のシステム。
【００６９】
条項１５．第２ロータ巻線を第１ロータ巻線と並列に構成することは、コントローラが、第１脚部と第２脚部との間の電圧差分は所定の値を下回ると判定することに応じて行われる、条項１４に記載のシステム。
【００７０】
条項１６．発電機と共に使用される方法であって、発電機の主界磁巻線を通して主界磁電流を導通させることと、既定の条件に応じて、主界磁電流の少なくとも一部分を、主界磁巻線の近位に配置されている逆界磁巻線内に連結することとを含み、主界磁電流の少なくとも一部分を逆界磁巻線内に連結することは、主界磁電流の強度を低減するよう作用する、方法。
【００７１】
条項１７．既定の条件が既定の負荷不具合条件を含む、条項１６に記載の方法。
【００７２】
条項１８．既定の条件が、発電機の既定の界磁弱化運転を有効化することを含む、条項１６に記載の方法。
【００７３】
条項１９．逆界磁巻線の第１インダクタンスが、主界磁巻線の第２インダクタンスと実質的に等しい、条項１６に記載の方法。
【００７４】
条項２０．主界磁電流の少なくとも一部分を逆界磁巻線内に連結することが、スイッチ素子を、発電機の主界磁回路の第１脚部と第２脚部との間で逆界磁巻線を主界磁巻線と並列に構成するよう、動作させることを含む、条項１６に記載の方法。
【００７５】
上記では、この開示で提示されている例について言及している。しかし、本開示の範囲は、記載されている具体的な例に限定されるわけではない。その代わりに、想定されている例を実装し、実践するために、記載している特徴及び要素のあらゆる組み合わせが、種々の例に関連しているか否かに関わらず、想定される。更に、本書で開示されている例は他の可能な手法又は従来技術を凌駕する利点を実現しうるが、特定の利点が所与の例によって達成されるか否かによって、本開示の範囲が限定されることはない。ゆえに、上記の態様、特徴、例、及び利点は、単なる例示であり、請求項（複数可）に明記されている場合を除き、付随する特許請求の範囲の要素であるとも、付随する特許請求の範囲を限定するものであるとも、見なされない。
【００７６】
図中のフロー図及びブロック図は、様々な例によるシステム、方法、及びコンピュータプログラム製品の実現可能な実行形態のアーキテクチャ、機能性、及び動作を示している。そのため、フロー図及びブロック図における各ブロックは、特定の論理機能（複数可）を実装するための一又は複数の実行可能命令を含む、コードのモジュール、コードのセグメント、又はコードの一部分を表わしうる。代替的な実行形態の一部では、ブロックに記載された複数の機能が、図に記載されている順序を逸脱して行われうることにも、留意すべきである。例えば、実際には、関連する機能性に応じて、連続して図示されている２つのブロックが実質的に同時に実行されうるか、又は、それらのブロックが時には逆順で実行されうる。ブロック図及び／又はフロー図の各ブロック、並びに、ブロック図及び／又はフロー図におけるブロックの組み合わせは、特定の機能若しくは作用を実施する特殊用途のハードウェアベースのシステムによって、又は、特殊用途ハードウェアとコンピュータ命令との組み合わせによって、実装されうることにも、留意されたい。
【００７７】
上記を踏まえて、本開示の範囲は以下の特許請求の範囲によって決定される。
【図１】
2019110743.tif 000004
【図２】
2019110743.tif 000005
【図３】
2019110743.tif 000006
【図４】
2019110743.tif 000007
【図５Ａ】
2019110743.tif 000008
【図５Ｂ】
2019110743.tif 000009
【図６】
2019110743.tif 000010
【外国語明細書】
2019110743000001.pdf
2019110743000002.pdf
2019110743000003.pdf
2019110743000004.pdf